(57)【特許請求の範囲】
【請求項１】
書込装置と、携帯端末装置と、管理装置と、を具備し、
前記書込装置は、前記携帯端末装置からコンテンツの画像の書込指示を受信する受信手段と、書込外力に応じて書換可能な画像が形成され且つ当該書込外力が除去された後も形成された画像を表示状態で保持する表示保持媒体に、前記受信手段により受信された書込指示に基づいてコンテンツの画像を書き込む書込手段と、を備え、
前記管理装置は、複数のコンテンツのデータ及び各コンテンツの属性情報を記憶する記憶手段と、複数のコンテンツをその属性情報に基づいて順序付ける順序付け手段と、前記順序付け手段による順序付けに従ったコンテンツの一覧情報を生成する生成手段と、前記生成手段により生成された一覧情報を前記携帯端末装置に送信する送信手段と、を備え、
前記携帯端末装置は、前記管理装置から一覧情報を受信する受信手段と、前記受信手段により受信された一覧情報に基づくコンテンツ一覧を表示する表示手段と、前記表示手段による一覧表示からの書込対象コンテンツの選択入力を利用者から受け付ける書込対象受付手段と、前記書込対象コンテンツのデータに基づくコンテンツの画像の書込指示を前記書込装置に送信する送信手段と、を備え、
前記携帯端末装置は、前記表示手段によってコンテンツ一覧として表示された各コンテンツを特定する情報の一覧から、サムネイル対象コンテンツの選択入力を利用者から受け付けるサムネイル対象受付手段を備え、前記表示手段により、前記選択されたサムネイル対象コンテンツのデータに基づくコンテンツの縮小画像を表示し、前記書込対象受付手段により、前記縮小画像の表示がなされたコンテンツについて書込対象コンテンツの選択入力を利用者から受け付け、
前記管理装置は、前記記憶手段に、属性情報として、前記携帯端末装置の表示手段によりコンテンツの縮小画像が表示された回数及び前記携帯端末装置からの書込指示によって前記書込装置によりコンテンツの画像が前記表示保持媒体に書き込まれた回数を記憶しており、前記順序付け手段により、前記表示回数に対する前記書込回数の比率が大きい順に複数のコンテンツを順序付ける、
ことを特徴とするコンテンツ表示システム。
【請求項２】
前記コンテンツは１以上のページを含むドキュメントであり、
前記管理装置の記憶手段は、各ドキュメントの各ページ毎の属性情報を記憶しており、
前記管理装置の順序付け手段は、各ドキュメントに含まれるそれぞれのページの属性情報に基づいてこれら複数のページを順序付けし、
前記管理装置の生成手段は、コンテンツの一覧情報として、前記順序付け手段による順序付けに従ってページを単位とした一覧情報を生成することを特徴とする請求項１に記載のコンテンツ表示システム。
【請求項３】
書込外力に応じて書換可能な画像が形成され且つ当該書込外力が除去された後も形成された画像を表示状態で保持する表示保持媒体への書込装置による書込対象となる複数のコンテンツのデータ及び各コンテンツの属性情報を記憶する記憶手段と、
複数のコンテンツをその属性情報に基づいて順序付ける順序付け手段と、
前記順序付け手段による順序付けに従ったコンテンツの一覧情報を生成する生成手段と、
前記生成手段により生成された一覧情報を、当該一覧情報に基づくコンテンツ一覧を表示して前記書込装置による前記表示保持媒体への書込対象コンテンツの選択入力を利用者から受け付ける携帯端末装置に送信する送信手段と、
を備え、
前記携帯端末装置は、前記コンテンツ一覧として表示された各コンテンツを特定する情報の一覧から、サムネイル対象コンテンツの選択入力を利用者から受け付け、当該選択されたサムネイル対象コンテンツのデータに基づくコンテンツの縮小画像を表示し、当該縮小画像の表示がなされたコンテンツについて書込対象コンテンツの選択入力を利用者から受け付けるものであり、
前記記憶手段は、属性情報として、前記携帯端末装置によりコンテンツの縮小画像が表示された回数及び前記携帯端末装置からの書込指示によって前記書込装置によりコンテンツの画像が前記表示保持媒体に書き込まれた回数を記憶しており、
前記順序付け手段は、前記表示回数に対する前記書込回数の比率が大きい順に複数のコンテンツを順序付ける、
ことを特徴とする管理装置。
【請求項４】
前記コンテンツは１以上のページを含むドキュメントであり、
前記管理装置の記憶手段は、各ドキュメントの各ページ毎の属性情報を記憶しており、
前記管理装置の順序付け手段は、各ドキュメントに含まれるそれぞれのページの属性情報に基づいてこれら複数のページを順序付けし、
前記管理装置の生成手段は、コンテンツの一覧情報として、前記順序付け手段による順序付けに従ってページを単位とした一覧情報を生成することを特徴とする請求項３に記載の管理装置。
【請求項５】
コンピュータを、
書込外力に応じて書換可能な画像が形成され且つ当該書込外力が除去された後も形成された画像を表示状態で保持する表示保持媒体への書込装置による書込対象となる複数のコンテンツのデータ及び各コンテンツの属性情報を記憶する記憶手段と、
複数のコンテンツをその属性情報に基づいて順序付ける順序付け手段と、
前記順序付け手段による順序付けに従ったコンテンツの一覧情報を生成する生成手段と、
前記生成手段により生成された一覧情報を、当該一覧情報に基づくコンテンツ一覧を表示して前記書込装置による前記表示保持媒体への書込対象コンテンツの選択入力を利用者から受け付ける携帯端末装置に送信する送信手段として機能させるためのプログラムであって、
前記携帯端末装置は、前記コンテンツ一覧として表示された各コンテンツを特定する情報の一覧から、サムネイル対象コンテンツの選択入力を利用者から受け付け、当該選択されたサムネイル対象コンテンツのデータに基づくコンテンツの縮小画像を表示し、当該縮小画像の表示がなされたコンテンツについて書込対象コンテンツの選択入力を利用者から受け付けるものであり、
前記記憶手段は、属性情報として、前記携帯端末装置によりコンテンツの縮小画像が表示された回数及び前記携帯端末装置からの書込指示によって前記書込装置によりコンテンツの画像が前記表示保持媒体に書き込まれた回数を記憶しており、
前記順序付け手段は、前記表示回数に対する前記書込回数の比率が大きい順に複数のコンテンツを順序付ける、
ことを特徴とするプログラム。
【請求項６】
前記コンテンツは１以上のページを含むドキュメントであり、
前記管理装置の記憶手段は、各ドキュメントの各ページ毎の属性情報を記憶しており、
前記管理装置の順序付け手段は、各ドキュメントに含まれるそれぞれのページの属性情報に基づいてこれら複数のページを順序付けし、
前記管理装置の生成手段は、コンテンツの一覧情報として、前記順序付け手段による順序付けに従ってページを単位とした一覧情報を生成することを特徴とする請求項５に記載のプログラム。
【発明の詳細な説明】
【技術分野】
【０００１】
本発明は、表示保持媒体に書き込んで表示させるコンテンツの選択入力を支援するコンテンツ表示システム、当該システムを構成する管理装置およびそのプログラムに関する。
【背景技術】
【０００２】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて書換可能な画像が書込外力により形成され且つ当該書込外力を除去した後も形成された画像を表示状態で保持する表示保持媒体が研究開発されている。
【０００３】
このような表示保持媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【０００４】
ここで、携帯電話端末のアプリケーションが印刷要求データを生成して自端末のＲＦＩＤチップに書き込んでおき、利用者が当該携帯電話端末を印刷装置に近づけることで当該印刷装置に印刷要求データを読み取らせて印刷させる印刷システムが提案されている（特許文献１参照）。
この特許文献１は、“携帯端末から印刷する”という観点で取り上げているが、当該文献には印刷するコンテンツの選択方法については述べられていない。
【０００５】
【特許文献１】特開２００６−３１８２２０号公報
【発明の開示】
【発明が解決しようとする課題】
【０００６】
表示保持媒体（電子ペーパ）への書き込み表示を所望するコンテンツを、携帯電話等の携帯端末装置により利用者に選択させるシステムが考えられている。
しかしながら、携帯端末装置は、一般的に表示画面が小さいことから一画面に表示可能な情報量が少なく、また、十分な操作性が確保されているとはいい難いため、利用者が所望のコンテンツに到達するためには多くの操作が必要となることが想定される。
【０００７】
本発明は、上記従来の事情に鑑みなされたものであり、表示保持媒体（電子ペーパ）への書き込み表示を所望するコンテンツを、携帯電話等の携帯端末装置により利用者に選択させるシステムに関し、所望のコンテンツを利用者が簡易に選択可能な技術を提案することを目的としている。
【課題を解決するための手段】
【０００８】
第１の本発明は、書込装置と、携帯端末装置と、管理装置と、を具備し、前記書込装置は、前記携帯端末装置からコンテンツの画像の書込指示を受信する受信手段と、書込外力に応じて書換可能な画像が形成され且つ当該書込外力が除去された後も形成された画像を表示状態で保持する表示保持媒体に、前記受信手段により受信された書込指示に基づいてコンテンツの画像を書き込む書込手段と、を備え、前記管理装置は、複数のコンテンツのデータ及び各コンテンツの属性情報を記憶する記憶手段と、複数のコンテンツをその属性情報に基づいて順序付ける順序付け手段と、前記順序付け手段による順序付けに従ったコンテンツの一覧情報を生成する生成手段と、前記生成手段により生成された一覧情報を前記携帯端末装置に送信する送信手段と、を備え、前記携帯端末装置は、前記管理装置から一覧情報を受信する受信手段と、前記受信手段により受信された一覧情報に基づくコンテンツ一覧を表示する表示手段と、前記表示手段による一覧表示からの書込対象コンテンツの選択入力を利用者から受け付ける書込対象受付手段と、前記書込対象コンテンツのデータに基づくコンテンツの画像の書込指示を前記書込装置に送信する送信手段と、を備えたことを特徴とするコンテンツ表示システムである。
【０００９】
第２の本発明は、第１の本発明において、前記携帯端末装置の表示手段は、コンテンツ一覧として、各コンテンツを特定する情報の一覧を表示し、前記携帯端末装置は、前記表示手段による一覧表示からのサムネイル対象コンテンツの選択入力を利用者から受け付けるサムネイル対象受付手段を備え、前記携帯端末装置の表示手段は、前記サムネイル対象コンテンツのデータに基づくコンテンツの縮小画像を表示し、前記携帯端末装置の書込対象受付手段は、前記縮小画像の表示がなされたコンテンツについて書込対象コンテンツの選択入力を利用者から受け付けることを特徴とする。
【００１０】
第３の本発明は、第２の本発明において、前記管理装置の記憶手段は、属性情報として、前記携帯端末装置の表示手段によりコンテンツの縮小画像が表示された回数及び前記携帯端末装置からの書込指示によって前記書込装置によりコンテンツの画像が前記表示保持媒体に書き込まれた回数を記憶しており、前記管理装置の順序付け手段は、前記表示回数に対する前記書込回数の比率が大きい順に複数のコンテンツを順序付けることを特徴とする。
【００１１】
第４の本発明は、第１又は第２の本発明において、前記管理装置の記憶手段は、属性情報として、前記携帯端末装置からの書込指示によって前記書込装置によりコンテンツの画像が前記表示保持媒体に書き込まれた回数を記憶しており、前記管理装置の順序付け手段は、前記書込回数が多い順に複数のコンテンツを順序付けることを特徴とする。
【００１２】
第５の本発明は、第１又は第２の本発明において、前記管理装置の記憶手段は、属性情報として、利用者によりコンテンツに付加された付加情報を複数記憶しており、前記管理装置の順序付け手段は、付加された付加情報の数が多い順に複数のコンテンツを順序付けることを特徴とする。
【００１３】
第６の本発明は、第１又は第２の本発明において、前記管理装置の記憶手段は、属性情報として、利用者により設定されたコンテンツの推奨度合いを示す情報を記憶しており、前記管理装置の順序付け手段は、コンテンツの推奨度合いが高い順に複数のコンテンツを順序付けることを特徴とする。
【００１４】
第７の本発明は、第１又は第２の本発明において、前記管理装置の記憶手段は、属性情報として、コンテンツの画像に対する所定の画像処理結果の情報を記憶しており、前記管理装置の順序付け手段は、前記画像処理結果の情報に基づく順に複数のコンテンツを順序付けることを特徴とする。
【００１５】
第８の本発明は、第１乃至第７の本発明において、前記コンテンツは１以上のページを含むドキュメントであり、前記管理装置の記憶手段は、各ドキュメントの各ページ毎の属性情報を記憶しており、前記管理装置の順序付け手段は、各ドキュメント毎にそのドキュメントに含まれる全てのページの属性情報を用いて所定の演算を行った結果に基づいて複数のドキュメントを順序付けることを特徴とする。
【００１６】
第９の本発明は、第１乃至第７の本発明において、前記コンテンツは１以上のページを含むドキュメントであり、前記管理装置の記憶手段は、各ドキュメントの各ページ毎の属性情報を記憶しており、前記管理装置の順序付け手段は、各ドキュメントに含まれるそれぞれのページの属性情報に基づいてこれら複数のページを順序付けし、前記管理装置の生成手段は、コンテンツの一覧情報として、前記順序付け手段による順序付けに従ってページを単位とした一覧情報を生成することを特徴とする。
【００１７】
第１０の本発明は、書込外力に応じて書換可能な画像が形成され且つ当該書込外力が除去された後も形成された画像を表示状態で保持する表示保持媒体への書込装置による書込対象となる複数のコンテンツのデータ及び各コンテンツの属性情報を記憶する記憶手段と、複数のコンテンツをその属性情報に基づいて順序付ける順序付け手段と、前記順序付け手段による順序付けに従ったコンテンツの一覧情報を生成する生成手段と、前記生成手段により生成された一覧情報を、当該一覧情報に基づくコンテンツ一覧を表示して前記書込装置による前記表示保持媒体への書込対象コンテンツの選択入力を利用者から受け付ける携帯端末装置に送信する送信手段と、を備えたことを特徴とする管理装置である。
【００１８】
第１１の本発明は、コンピュータを、書込外力に応じて書換可能な画像が形成され且つ当該書込外力が除去された後も形成された画像を表示状態で保持する表示保持媒体への書込装置による書込対象となる複数のコンテンツのデータ及び各コンテンツの属性情報を記憶する記憶手段と、複数のコンテンツをその属性情報に基づいて順序付ける順序付け手段と、前記順序付け手段による順序付けに従ったコンテンツの一覧情報を生成する生成手段と、前記生成手段により生成された一覧情報を、当該一覧情報に基づくコンテンツ一覧を表示して前記書込装置による前記表示保持媒体への書込対象コンテンツの選択入力を利用者から受け付ける携帯端末装置に送信する送信手段として機能させることを特徴とするプログラムである。
【発明の効果】
【００１９】
第１の本発明に係るコンテンツ表示システムによると、各コンテンツの属性情報に基づく順序付けに従ったコンテンツ一覧を携帯端末装置に表示するため、利用者が表示保持媒体（電子ペーパ）への書き込み表示を所望するコンテンツに該当する可能性が高いと考えられるコンテンツ（つまり、電子ペーパでの閲覧に適したコンテンツ）ほど一覧の上位に表示させることで、利用者は、所望のコンテンツを速やかに見つけ出して少ない操作で書込対象に選択することが可能となる。
【００２０】
第２の本発明に係るコンテンツ表示システムによると、書込対象コンテンツの書込指示を書込装置へ送信する前にそのコンテンツの縮小画像が表示されるため、利用者は当該表示を見て電子ペーパへの書き込みを続行するか中止するかを判断可能となり、無駄な書き込みを抑制できる。
【００２１】
第３の本発明に係るコンテンツ表示システムによると、縮小画像の表示回数（つまり、書込続行又は中止の判断回数）に対する電子ペーパへの書込回数の比率が大きいコンテンツほど電子ペーパでの閲覧に適していると考えられることから、このようなコンテンツを一覧の上位に表示することで、利用者は所望のコンテンツを簡易に選択可能となる。
【００２２】
第４の本発明に係るコンテンツ表示システムによると、コンテンツ画像の電子ペーパへの書込回数が多いコンテンツほど電子ペーパでの閲覧に適していると考えられることから、このようなコンテンツを一覧の上位に表示することで、利用者は所望のコンテンツを簡易に選択可能となる。
【００２３】
第５の本発明に係るコンテンツ表示システムによると、付加された付加情報（コメントやタグなど）の数が多いコンテンツほど電子ペーパでの閲覧に適していると考えられることから、このようなコンテンツを一覧の上位に表示することで、利用者は所望のコンテンツを簡易に選択可能となる。
【００２４】
第６の本発明に係るコンテンツ表示システムによると、設定された推奨度が高い（有用性が高い）コンテンツは電子ペーパでの閲覧に適していると考えられることから、このようなコンテンツを一覧の上位に表示することで、利用者は所望のコンテンツを簡易に選択可能となる。
【００２５】
第７の本発明に係るコンテンツ表示システムによると、コンテンツ画像に対する処理結果に基づく順に従ってコンテンツ一覧が表示される。ここで、画像処理結果に基づく順としては、例えば、画像を白又は黒に２値化した場合における黒の比率が高い順（黒が多いほど情報量が多い可能性が高い）、画像を圧縮した場合における圧縮後のデータ量が多い順（圧縮効率が悪いほど情報量が多い可能性が高い）などがある。つまり、情報量が多いコンテンツは電子ペーパでの閲覧に適していると考えられることから、画像処理の結果により情報量が多いと判断されたコンテンツを一覧の上位に表示することで、利用者は所望のコンテンツを簡易に選択可能となる。
【００２６】
第８の本発明に係るコンテンツ表示システムによると、ドキュメントに含まれる全てのページに基づいて総合的に閲覧に適していると判断されるドキュメントほど一覧の上位に表示されるため、利用者は所望のコンテンツ（ドキュメント）を簡易に選択可能となる。
【００２７】
第９の本発明に係るコンテンツ表示システムによると、各ドキュメントに含まれるそれぞれのページが閲覧に適していると判断される順に一覧表示されるため、利用者は所望のコンテンツ（ドキュメント中のページ）を簡易に選択可能となる。
【００２８】
第１０の本発明に係る管理装置によると、各コンテンツの属性情報に基づく順序付けに従ったコンテンツ一覧を携帯端末装置に表示させるため、利用者が表示保持媒体（電子ペーパ）への書き込み表示を所望するコンテンツに該当する可能性が高いと考えられるコンテンツ（つまり、電子ペーパでの閲覧に適したコンテンツ）ほど一覧の上位に表示させることで、利用者は、所望のコンテンツを速やかに見つけ出して少ない操作で書込対象に選択することが可能となる
【００２９】
第１１の本発明に係るプログラムによると、上記の管理装置としてコンピュータを機能させることができる。
【発明を実施するための最良の形態】
【００３０】
まず、本発明に係るコンテンツ表示システムで用いられる表示保持媒体（電子ペーパ）について説明する。
電子ペーパは、書込外力に応じて書換可能な画像が書込外力により形成され且つ当該書込外力を除去した後も形成された画像を表示状態で保持する媒体であり、その表示原理としては、電気、磁気、熱といった外力を直接印加して素子を駆動するもの、あるいは光照射に伴う電圧変化により素子を駆動するものや、電圧印加に伴う液体のＰＨ変化により呈色状態を変化させる等、連鎖的に素子を駆動する表示原理を用いるもの等がある。
ここでは、電子ペーパの一例として、電子的に画像を書き換える電子書込型の電子ペーパと、光照射により画像を書き換える光書込型の電子ペーパとを説明する。
【００３１】
電子書込型の電子ペーパは、例えばＡ４版の用紙のような大きさのフレキシブルな薄型媒体であり、複写機にトナーとして利用されている微細な着色粒子（例えば、白色粒子と黒色粒子）を少なくとも表面側が透明な表裏一対の電極間に封入し、これを少なくとも表面側が透明な表裏一対のフィルム基板で挟んだ構造となっている。着色粒子が自由に移動できるように電極層間は空気層となっており、また、マトリックス状の電極層には着色粒子との接触を防止する絶縁層が設けられている。なお、カラーフィルターを用いることにより、簡単な構造でカラー表示を実現することも可能である。
【００３２】
そして、電子書込型の電子ペーパは、電極に電圧を印加していない状態では、負に帯電した白色粒子は裏面側に溜まる一方、正に帯電した黒色粒子は表面側に溜まり、表面側から目視すると黒色な状態となる。そして、書込装置の書込手段（ドライバ）が電子データに基づいて動作して、表示するコンテンツ画像に応じたマトリックスの所要部の電極極性を反転させると、白色粒子と黒色粒子との位置関係が入れ替わって、白色粒子と黒色粒子とのコントラストによるコンテンツ画像が表示される。なお、異なる電子データに基づいて書込装置のドライバを動作させることにより、白色粒子と黒色粒子とのコントラストにより表示されるコンテンツ画像を切り換えることができ、幾度も再使用することができる。
【００３３】
光書込型の電子ペーパは、例えばＡ４版の用紙のような大きさのフレキシブルな薄型媒体であり、例えば、書込装置の書込手段（液晶パネル）にコンテンツ画像を表示し、電子ペーパの書込電極に外部の電源から電圧を印加しながら当該電子ペーパを液晶パネルに重ねて光を照射することにより、液晶パネルに表示させたコンテンツ画像を転写して表示記憶させることができ、書込電極に印加した電圧を除去した後も当該コンテンツ画像を表示状態で保持し続ける。
【００３４】
光書込型の電子ペーパは、例えば、複写機に利用されている有機光導電性材料の層（有機光導電層）と液晶表示材料の層（マイクロカプセル化したコレステリック液晶層）とを組み合わせ、これら層を表裏一対の透明電極で挟み、この積層体を表裏一対の透明な基材フィルムで挟んだ構造となっている。なお、この構成では、コレステリック液晶層が光を反射する白表示と、光が液晶層を透過しコレステリック液晶層と有機光導電層との間に設けられた黒色層で吸収される黒表示のモノクロ画像表示が可能である。さらにコレステリック液晶には螺旋ピッチに応じたカラー光を干渉反射するという特性があるので、コレステリック液晶層を螺旋ピッチの異なる液晶を積層した構成にすることにより、簡単な構造でカラー表示を実現することも可能である。
【００３５】
そして、光書込型の電子ペーパは、例えば、書込装置の液晶パネルに転写するコンテンツ画像を表示して投影し、書込電極に電圧を印加すると、光の強弱を瞬時に反射濃度に変換して当該投影されたコンテンツ画像を保持する。そして、書込電極に消去電圧を印加することにより表示保持されたコンテンツ画像を消去することができる。
【００３６】
次に、上記のような電子ペーパにコンテンツ画像を書き込む書込装置について簡単に説明する。
例えば、電子書込型の電子ペーパに適用する形式の書込装置は、電子ペーパに接続されるドライバ（書込手段）を有して、上記のようにして、電子データ（電子ペーパの解像度等に適合した表示用の画像データ）に基づくコンテンツ画像を電子ペーパに書き込む。
【００３７】
また、例えば、光書込型の電子ペーパに適用する形式の書込装置は、コンテンツ画像を表示して電子ペーパに投影する液晶パネル等の表示面（書込手段）と、電子ペーパに設けられている書込電極に電圧を印可する機能とを有して、上記のようにして、表示面上に置かれた電子ペーパにコンテンツ画像を投影して書き込む。
ここで、電子ペーパと書込装置とは一体の装置として構成してもよく、電子ペーパを書込装置に対して着脱自在に分離可能な別体の装置として構成してもよい。
なお、以下に説明するコンテンツ表示システムでは、光書込型の電子ペーパと、当該電子ペーパが着脱自在な書込装置とを用いているが、他の形式の電子ペーパ及び書込装置を用いてもよい。
【００３８】
図１には、本発明の一実施形態に係るコンテンツ表示システムの概要を例示してある。
本例のコンテンツ表示システムは、ネットワークを介して互いに通信可能なコンテンツサーバ１及び携帯端末装置２を備えるほか、上記説明した書込装置３及び電子ペーパ４、を備えている。本例では、携帯端末装置２として携帯電話を用いるが、ＰＤＡ（Ｐｅｒｓｏｎａｌ  Ｄｉｇｉｔａｌ  Ａｓｓｉｓｔａｎｔｓ）やモバイルパソコン等の携帯可能な端末であってもよい。
ここで、本例におけるコンテンツは、文字、図形、写真などの要素により構成されたドキュメントであり、各ドキュメントを単位として把握することは勿論、ドキュメント中の各ページを単位として把握することもできる。
【００３９】
図２は、本例に係るコンテンツサーバ１の機能ブロック図を示している。
コンテンツサーバ１は、複数のドキュメント（コンテンツ）のデータを記憶するコンテンツ記憶部１１、携帯端末装置２との通信を行う通信部１２、各種データ処理を行う処理部１３、を備えている。
コンテンツ記憶部１１は、図４に示すように、ドキュメントＩＤ、ドキュメント内容データ、ドキュメント属性などを組にした複数のドキュメントデータを記憶しており、ドキュメント内容データは、ページ番号、ページ内容データ、ページ属性などを組にした複数のページデータを含んでいる。
【００４０】
処理部１３は、複数のコンテンツ（ドキュメント又はページ）を順序付ける処理を行う順序付け処理部１４、順序付け処理結果に従ったコンテンツの一覧情報を生成する処理を行う一覧生成処理部１５、コンテンツ記憶部１１に記憶されている属性データ（ドキュメント属性又はページ属性）を更新する処理を行う属性データ更新処理部１６、を備えている。
【００４１】
図３は、本例に係る携帯端末装置２の機能ブロック図を示している。
携帯端末装置２は、コンテンツサーバ１との通信を行う第１通信部２１、書込装置２との通信を行う第２通信部２２、液晶パネル等により構成されて各種情報が表示出力される表示部２３、ボタン等により構成されて利用者から操作入力を受け付ける操作部２４、各種データ処理を行う処理部２５、を備えている。
【００４２】
処理部２５は、ドキュメントを特定する情報を一覧形式で表示部２３に表示させる処理を行うドキュメント一覧表示処理部２６、或るドキュメントに含まれるページのサムネイル画像（ページ画像を所定サイズに縮小した画像）を単ページ形式で表示部２３に表示させる処理を行う単ページサムネイル表示処理部２７、或るドキュメントに含まれるページのサムネイル画像を一覧形式で表示部２３に表示させる処理を行う全ページサムネイル表示処理部２８、利用者による書込対象のコンテンツ（ドキュメント又はページ）の選択入力に応じて、書込指示を書込装置３に送信して電子ペーパ４へのコンテンツ画像の書き込みを要求する書込要求処理部２９、を備えている。
ここで、ドキュメントを特定する情報としては、例えば、ドキュメントＩＤ、ドキュメント名、代表ページ（例えば１ページ目）のサムネイル画像などを用いることができる。
【００４３】
次に、本例のコンテンツ表示システムにおける処理を、図５に示す処理フロー図、及び図６、図７に示す画面表示例を参照して具体的に説明する。
なお、以下の説明では、利用者に指定されたフォルダに格納されているドキュメントの一覧要求が携帯端末装置２から送信される場合について説明するが、このようなフォルダ内のドキュメント一覧に限定するものではなく、例えば、利用者に指定されたキーワードに合致するドキュメントの一覧要求が携帯端末装置２から送信される場合などについても適用することができる。
また、ページ属性として、そのページのサムネイル画像が携帯端末装置２に表示された表示回数、そのページの画像が携帯端末装置２からの書込指示によって書込装置３により電子ペーパ４に書き込まれた書込回数、が記憶されているものとする。
【００４４】
コンテンツサーバ１は、通信部１２により携帯端末装置２からのドキュメントの一覧要求を受信すると（ステップＳ１）、当該要求に該当する一覧対象のドキュメントのリストをコンテンツ記憶部１１を参照して取得する（ステップＳ２）。順序付け処理部１４は、当該リスト中の各ドキュメント毎に、それぞれのドキュメントに含まれる全てのページの表示回数の合計に対する書込回数の合計の比率（書込比率）を算出し（ステップＳ３）、書込比率が大きい順に各ドキュメントを順序付けるドキュメント単位の順序付けを行う（ステップＳ４）。その後、一覧生成処理部１５が、順序付け処理部１４による順序付けに従ったドキュメントの一覧情報を生成し（ステップＳ５）、通信部１２により要求元の携帯端末装置２に当該一覧情報を送信する（ステップＳ２）。
【００４５】
携帯端末装置２では、第１通信部２１によりコンテンツサーバ１から受信したドキュメントの一覧情報に基づいて、ドキュメント一覧表示処理部２６が、図６に示すようなドキュメント一覧画面Ｗ１１を表示部２３により表示させる。
ドキュメント一覧画面Ｗ１１は、利用者に指定されたフォルダに格納されているドキュメント一覧を示す画面であり、各ドキュメントを特定する情報としてのドキュメント名５１と、そのドキュメントについて算出された書込比率の値５２（本例では百分率）とを組にして、書込比率の値５２が大きい順に一覧形式で表示している。同図は、「案件フォルダ」が指定された場合を示しており、当該フォルダには「機械情報」「ペンディング情報」「顧客固有情報」などのドキュメントが格納されており、その順に書込比率が高いことを把握できる。なお、本例では、所定ドキュメント数の単位で一覧表示を行っており、前又は次の一覧表示へのリンク５３も同画面に設けられている。
【００４６】
ドキュメント一覧画面Ｗ１１のドキュメント名５１は、そのドキュメントに関する単ページサムネイル表示画面Ｗ１２へのリンクとなっており、当該リンクが利用者に選択されると、単ページサムネイル表示処理部２７が、図６に示すような単ページサムネイル画面Ｗ１２を表示部２３により表示させる。
単ページサムネイル画面Ｗ１２は、前記選択されたドキュメントに含まれるページのサムネイル画像５６を単ページ形式で示す画面であり、そのサムネイル表示に係るページのドキュメント中の位置を示すページ位置情報５７が併せて表示され、前又は次のページのサムネイル表示へのリンク５８も同画面に設けられている。
【００４７】
また、単ページサムネイル画面Ｗ１２には、そのサムネイル表示に係るドキュメントに含まれる全てのページの出力指示を受け付ける全ページ出力指示受付部５４と、そのサムネイル表示に係るページの出力指示を受け付ける単ページ出力指示受付部５５とが設けられており、これらが利用者により選択されると、書込要求処理部２９が、該当するページ（全ページ又は単ページ）のデータに基づくページ画像の書込指示を第２通信部２２により書込装置３に送信し、電子ペーパ４へページ画像を書き込み表示させる。
【００４８】
また、単ページサムネイル画面Ｗ１２には、全ページサムネイル表示画面Ｗ１３へのリンク５９が設けられており、当該リンクが利用者に選択されると、全ページサムネイル表示処理部２８が、図７に示すような全ページサムネイル画面Ｗ１３を表示部２３により表示させる。
全ページサムネイル画面Ｗ１３は、前記選択されたドキュメントに含まれるページのサムネイル画像６２を一覧形式で示す画面であり、そのサムネイル表示に係るページのドキュメント中のページ位置を示す情報６４が併せて表示される。なお、本例では、所定ページ数の単位で一覧表示を行っており、前又は次の一覧表示へのリンク６５も同画面に設けられている。
【００４９】
また、全ページサムネイル画面Ｗ１３には、そのサムネイル表示に係るドキュメントに含まれる全てのページの出力指示を受け付ける全ページ出力指示受付部６０と、そのサムネイル表示に係るドキュメントの中から選択された１以上のページの出力指示を受け付ける選択ページ出力指示受付部６１とが設けられており、これらが利用者により選択されると、書込要求処理部２９が、該当するページ（全ページ又は選択ページ）のデータに基づくページ画像の書込指示を第２通信部２２により書込装置３に送信し、電子ペーパ４へページ画像を書き込み表示させる。
ここで、選択ページ出力指示受付部６１により出力指示するページの選択は、各サムネイル画像６２に対応付けて設けられたページ選択部６３により受け付けている。
【００５０】
なお、単ページサムネイル画面Ｗ１２又は全ページサムネイル画面Ｗ１３によりサムネイル画像が表示されたことに伴って、コンテンツサーバ１の属性データ更新処理部１６により、コンテンツ記憶部１１に記憶されている該当するドキュメントのページの表示回数に１が加算され、また、その当該ページの出力指示（つまり、書込装置３によりそのページ画像が電子ペーパ４に書き込み表示されたこと）に伴って、該当するドキュメントのページの書込回数に１が加算される。
ここで、本例では、携帯端末装置２がページの表示回数や書込回数の加算指示をコンテンツサーバ１に送信し、当該指示に基づいて属性データ更新処理部１６が表示回数や書込回数の加算を行っているが、これに限定するものではなく、例えば、コンテンツサーバ１や他の装置がサムネイル表示や電子ペーパ４への書き込み表示を検出し、その検出結果に基づいて表示回数や書込回数の加算を行うようにしてもよい。
【００５１】
以上の説明では、ドキュメント単位の順序付けを行い、その順序付けに従ったドキュメント一覧（ドキュメント一覧画面Ｗ１１）を表示する場合について説明したが、更にページ単位の順序付けを行い、その順序付けに従ったページ一覧（全ページサムネイル画面Ｗ１３）を表示するようにしてもよい。
つまり、全ページサムネイル画面Ｗ１３を表示するにあたり、コンテンツサーバ１の順序付け処理部１４が、該当するドキュメントに含まれる全てのページについて各ページ毎に書込比率を算出し、書込比率が大きい順に各ページを順序付けるページ単位の順序付けを行う。そして、一覧生成処理部１５が、順序付け処理部１４による順序付けに従ったページの一覧情報を生成し、通信部１２により要求元の携帯端末装置２に当該一覧情報を送信する。これにより、図８に示すように、本来のページ順とは異なって、書込比率の高い順に並べられたページ一覧が利用者に提示される。この場合には、各ページの書込比率を併せて表示するようにしてもよい。
【００５２】
ここで、上記のように、選択された一のドキュメントに含まれる全てのページを順序付けして一覧表示するほか、複数のドキュメントに含まれる全てのページを順序付け（つまり、ドキュメントという括りを無視してページを順序付け）して一覧表示してもよい。
また、上記のようなページ単位の順序付けを行わない場合には、ページ毎に（つまり、ページ属性として）表示回数及び書込回数を保持させずに、ドキュメント毎（つまり、ドキュメント属性として）表示回数及び書込回数を保持させてもよい。
また、書込比率（表示回数に対する書込回数の比率）が高い順に順序付けするほか、単に、書込回数が多い順に順序付けをするようにしてもよい。
【００５３】
次に、ページ属性（又はドキュメント属性）として、コメントやタグといった付加情報が付加されている場合について説明する。
この場合には、コンテンツサーバ１の順序付け処理部１４が、一覧対象の各ドキュメント毎に、そのドキュメントに付加された付加情報（又は当該ドキュメント中の各ページに付加された付加情報）の数を計数し、その数が多い順に各ドキュメントを順序付けしたり、一覧対象の各ページ毎に、そのページに付加された付加情報を計数し、その数が多い順に各ページを順序付けすればよい。
【００５４】
図９は、付加情報の数に基づく順序付けに従った表示例を示している。
同図のドキュメント一覧画面Ｗ２１は、各ドキュメントを特定する情報としてのドキュメント名７１と、そのドキュメント（又は当該ドキュメント中の各ページ）に付加されている付加情報の数７２とを組にして、付加情報の数７２が多い順に一覧形式で表示している。
【００５５】
なお、本例では、各ドキュメント又はページにコメントを付加するためのコメント入力画面Ｗ２３が用意されており、コメント入力画面Ｗ２３へは、ドキュメント一覧画面Ｗ２１の各ドキュメントに関する単ページサムネイル表示画面Ｗ２２に設けられたリンク７３が利用者に選択されることにより遷移する。
なお、同図のコメント入力画面Ｗ２３は、コメント入力欄７４、コメント候補の表示エリア７５、付加対象（ページ又はドキュメント）の選択ボタン７６、コメント入力の実行ボタン７７、処理結果メッセージの表示エリア７８、により構成されており、利用者の操作内容に従ったコメントが付加情報としてページ又はドキュメントに付加される。
【００５６】
次に、ページ属性（又はドキュメント属性）として、閲覧の推奨度が設定されている場合について説明する。
この場合には、コンテンツサーバ１の順序付け処理部１４が、一覧対象の各ドキュメント毎に、そのドキュメントに設定された推奨度（又は当該ドキュメント中の各ページに設定された推奨度）に基づく順に各ドキュメントを順序付けしたり、一覧対象の各ページ毎に、そのページに設定された推奨度に基づく順に各ページを順序付けすればよい。
【００５７】
図１０は、推奨度に基づく順序付けに従った表示例を示しており、同図のドキュメント一覧画面Ｗ３１は、各ドキュメントを特定する情報としてのドキュメント名８１と、そのドキュメントの推奨度の値８２とを組にして、推奨度の値８２が高い順に一覧形式で表示している。なお、本例では、推奨度として１から５までの５段階の値を用いているが、これに限定するものではない。
【００５８】
ここで、推奨度は、ドキュメントの登録者や管理者などが手動で設定したものあってもよく、各ドキュメントに基づいて算出されたものであってもよい。
ここで、ページの推奨度の算出方式としては、例えば、ページの画像を白又は黒に２値化し、黒の比率が高い順に推奨度を高くする方式や、ページの画像を圧縮し、圧縮後のデータ量が多い順に推奨度を高くする方式などがある。また、ドキュメントの推奨度は、そのドキュメント中の各ページの推奨度の合計や平均により算出することができる。
【００５９】
なお、以上の説明では、書込比率や書込回数、付加情報の数、推奨度といった各基準のいずれかを用いてコンテンツの順序付けを行っているが、これら基準を複合的に組合せてコンテンツの順序付けを行うようにしてもよい。
【００６０】
図１１は、本例に係るコンテンツサーバ１の主要なハードウェア構成を示している。
すなわち、本例のコンテンツサーバ１は、各種演算処理を行うＣＰＵ９１、ＣＰＵ９１の作業領域となるＲＡＭ９２、基本的な制御プログラムを記憶するＲＯＭ９３、本発明に係る機能を実現するためのプログラム等を記憶するＨＤＤ９４、利用者に対する情報を表示出力する液晶ディスプレイや利用者からの情報の入力を受け付けるマウス・キーボード等の機器とのインターフェースである入出力Ｉ／Ｆ９５、他の装置との間で通信を行うインターフェースである通信Ｉ／Ｆ９６、等のハードウェア資源を有するコンピュータで構成されている。
【００６１】
そして、本発明に係るプログラムをＨＤＤ９４から読み出してＲＡＭ９２に展開し、これをＣＰＵ９１により実行させることで、本発明に係る管理装置の各機能手段をコンテンツサーバ１のコンピュータに実現している。なお、本例では、コンテンツ記憶部１１により記憶手段が構成され、順序付け処理部１４により順序付け手段が構成され、一覧生成処理１５により生成手段が構成され、通信部１２により送信手段が構成されている。
【００６２】
なお、本発明に係るプログラムは、例えば、当該プログラムを記憶したＣＤ−ＲＯＭ等の外部記憶媒体を配布する形式や、ネットワークを介して配信する形式により、本発明の実施者に提供される。また、本発明に係る管理装置の各機能手段は、本例のようなソフトウェア構成により実現する態様に限られず、それぞれ専用のハードウエアモジュールで構成してもよい。また、本発明に係る管理装置の各機能手段は、本例のように１台のコンピュータに設ける態様に限られず、複数台のコンピュータに分散して設けてもよい。
【図面の簡単な説明】
【００６３】
【図１】本発明の一実施形態に係るコンテンツ表示システムの概要を示す図である。
【図２】本発明の一実施形態に係るコンテンツサーバの機能ブロック図である。
【図３】本発明の一実施形態に係る携帯端末装置の機能ブロック図である。
【図４】本発明の一実施形態に係るコンテンツ記憶部の記憶内容を示す図である。
【図５】本発明の一実施形態に係る一覧情報生成処理の処理フロー図である。
【図６】本発明の一実施形態に係る携帯端末装置における表示例を示す図である。
【図７】本発明の一実施形態に係る携帯端末装置における表示例を示す図である。
【図８】本発明の一実施形態に係る携帯端末装置における表示例を示す図である。
【図９】本発明の一実施形態に係る携帯端末装置における表示例を示す図である。
【図１０】本発明の一実施形態に係る携帯端末装置における表示例を示す図である。
【図１１】本発明の一実施形態に係るコンテンツサーバのハードウェア構成図である。
【符号の説明】
【００６４】
１：コンテンツサーバ、  ２：携帯端末装置、  ３：書込装置、  ４：電子ペーパ、  １１：コンテンツ記憶部、  １２：通信部、  １３：処理部、  １４：順序付け処理部、  １５：一覧生成処理部、  １６：属性データ更新処理部、  ２１：第１通信部、  ２２：第２通信部、  ２３：表示部、  ２４：操作部、  ２５：処理部、  ２６：ドキュメント一覧表示処理部、  ２７：単ページサムネイル表示処理部、  ２８：全ページサムネイル表示処理部、  ２９：書込要求処理部
【図１】
0005141266.tif 000002
【図２】
0005141266.tif 000003
【図３】
0005141266.tif 000004
【図４】
0005141266.tif 000005
【図５】
0005141266.tif 000006
【図６】
0005141266.tif 000007
【図７】
0005141266.tif 000008
【図８】
0005141266.tif 000009
【図９】
0005141266.tif 000010
【図１０】
0005141266.tif 000011
【図１１】
0005141266.tif 000012